(57)【要約】【課題】灰皿に溜まった吸い殻等を遊技者側へ飛散させることなく、迅速かつ簡単に回収できる遊技機を提供する。【解決手段】灰皿は、灰受け部材２６、灰皿上部材２７及び灰皿下部材２８等が組み付けられて一体化されるものであり、灰皿の後側部分となる筒部内には半周突起片５１を形成した軸部材４８が内装されている。一方、セット板１６の前面には灰皿の筒部を摺動可能に嵌合支持する円環状の環状周壁２１が形成され、環状周壁２１の内側領域には通孔２４が形成されている。従って、環状周壁２１に灰皿の筒部を挿入し、その筒部内の軸部材４８を止めねじ５４ａでセット板１６に固定すると、灰皿は、軸線ａ回りに回動操作可能となる。そして、その回動操作方向は、灰皿の内面側の所定部位（突起）が半周突起片５１に当接することにより、遊技者側への回動が規制される。【選択図】      図６
2005040433.tif 000002
【特許請求の範囲】
【請求項１】
機台前面下部に灰皿を備えた遊技機であって、
前記灰皿を機表側から見て前後方向に沿う軸線回りに回動操作可能に支持する支持手段と、当該灰皿を灰受け凹部が上向きとなる使用可能な位置状態に係合保持可能な係合手段とを備えた遊技機。
【請求項２】
前記支持手段は、前記灰皿を前記軸線回りに回動操作可能に且つ当該軸線に沿う前後方向への移動操作可能に支持する構成とされ、一方、前記係合手段は、前記灰皿が前記軸線方向における所定の係合位置に移動した際に、前記機台前面下部と前記灰皿との互いに対向する部位間に設けられた係合部同士が前記灰皿を回動不能に係合保持する構成とされている請求項１に記載の遊技機。
【請求項３】
前記機台前面下部には、前記係合位置から前方向又は後方向へ移動した状態にある灰皿を前記係合位置の方向へ付勢する付勢手段が設けられている請求項２に記載の遊技機。
【請求項４】
前記機台前面下部には下球皿をセット保持するためのセット板が配設されており、該セット板よりも前方側に前記支持手段、係合手段及び付勢手段は設けられている請求項３に記載の遊技機。
【請求項５】
前記機台前面下部には、前記灰皿が、灰受け凹部が上向きとなる使用可能な位置状態から、機表側から見て時計方向又は反時計方向のうち何れか一方の特定方向へ回動操作された際に、当該灰皿の所定部位と当接することによって、その灰皿の前記特定方向への回動を規制する回動方向規制手段が設けられている請求項１〜請求項４のうち何れか一項に記載の遊技機。
【発明の詳細な説明】
【技術分野】
【０００１】
本発明は、遊技機に係り、詳しくは機台前面下部に灰皿を備えた遊技機に関するものである。
【背景技術】
【０００２】
従来より、遊技機の一種であるパチンコ機の機台前面下部には、下球皿の側方位置に灰皿が設けられている。例えば特許文献１に記載されたパチンコ機では、機台前面下部に膨出形成された下球皿の一部に灰皿収納凹部が形成されており、この灰皿収納凹部内に灰皿が組み付け整合されている。灰皿収納凹部の左右両内側面には軸受け孔が形成される一方、灰皿の左右両外側面には支持軸が突設されており、前記両軸受け孔に各支持軸が挿入支持されることで、灰皿は灰皿収納凹部内で前後方向へ回動自在な構成とされている。
【０００３】
また、前記灰皿の上側には灰受け凹部が形成されると共に、灰皿の後側面と当該後側面に対向する灰皿収納凹部の内奥面とには係合凸部がそれぞれ設けられている。そして、これらの係合凸部が互いに係合することによって、前記灰皿は灰受け凹部が上側を向いた使用可能状態で前記灰皿収納凹部内に係合保持されるようになっている。その一方、灰皿に溜まった灰や吸い殻（以下、「吸い殻等」という。）を回収する際には、前記係合凸部による係合関係が解除される方向（つまり、遊技者側となる手前方向）に灰皿を回動させ、前記灰受け凹部を下向きにすることにより、灰受け凹部内から吸い殻等を回収するようになっていた。しかし、特許文献１のパチンコ機では、吸い殻等の回収時に灰皿を遊技者側となる手前方向に回動させるため、灰皿が回動した際に、灰受け凹部内に溜まっていた吸い殻や灰等が飛び散って遊技者の衣服等にかかるという虞があった。
【０００４】
そこで、このような問題を解消するべく、例えば特許文献２に記載されるようなパチンコ機が提案されている。この特許文献２におけるパチンコ機は、灰皿の後側面に支持軸を突設する一方、前記灰皿の後側面に対向する灰皿収納凹部の内奥面に支持孔を穿設し、当該支持孔に灰皿の支持軸を嵌入することにより、灰皿を灰皿収納凹部内に係合保持し得る構造としている。また、灰皿における前記支持軸の後端面にはねじ孔が形成されており、その支持軸を前記支持孔内に嵌入した状態において、前記ねじ孔に対し機裏側からビスを螺入締め付けすれば、灰皿を使用可能状態で灰皿収納凹部内に固定保持できるようになっていた。そして、灰皿に溜まった吸い殻等を回収する際には、別途に準備した吸引機で灰受け凹部内から吸い殻等を吸引除去するようにしていた。従って、特許文献２のパチンコ機では、灰皿収納凹部内で灰皿を遊技者側となる手前方向へ回動させることもないので、特許文献１のパチンコ機とは異なり、吸い殻等の回収時に、遊技者側に吸い殻等が飛び散るといった虞も殆どなかった。
【特許文献１】実開平６−４８７号公報（請求項１、段落番号［０００９］、図４）
【特許文献２】特開平９−２２５１０８号公報（請求項１、段落番号［０００８］、図２）
【発明の開示】
【発明が解決しようとする課題】
【０００５】
しかしながら、上記特許文献２のパチンコ機においても、以下のような問題点があった。即ち、灰皿を灰皿収納凹部内に使用可能状態で固定する際には、パチンコ機の機裏側からビスを打ち込み、当該ビスを灰皿の支持軸に形成されたねじ孔に螺入締め付けしなければならなかった。また、灰皿から吸い殻等を回収する際には、吸引機等の回収機器が特別に必要になるという問題があった。その一方、前記吸引機等がない場合には、吸い殻等を手作業で手前側へかき出して回収しなければならず、手前側へのかき出し回収時に吸い殻等が遊技者に飛び散りかかってしまうという虞があった。また、灰皿を灰皿収納凹部内から取り外して吸い殻等を回収することも一応可能である。しかし、その場合には、前記ビスを機裏側から外すという作業が必要になると共に、回収後には灰皿を灰皿収納凹部内にはめ直し、もう一度、機裏側からビスを螺入締め付けするという作業が必要となり、回収作業が煩雑化するという問題が指摘されていた。
【０００６】
本発明は、このような事情に鑑みてなされたものであり、その目的は、灰皿に溜まった吸い殻等を遊技者側へ飛散させることなく、迅速かつ簡単に回収できる遊技機を提供することにある。
【課題を解決するための手段】
【０００７】
上記目的を達成するために、請求項１に記載の発明は、機台前面下部に灰皿を備えた遊技機であって、前記灰皿を機表側から見て前後方向に沿う軸線回りに回動操作可能に支持する支持手段と、当該灰皿を灰受け凹部が上向きとなる使用可能な位置状態に係合保持可能な係合手段とを備えたことを要旨とする。
【０００８】
請求項２に記載の発明は、請求項１に記載の遊技機において、前記支持手段は、前記灰皿を前記軸線回りに回動操作可能に且つ当該軸線に沿う前後方向への移動操作可能に支持する構成とされ、一方、前記係合手段は、前記灰皿が前記軸線方向における所定の係合位置に移動した際に、前記機台前面下部と前記灰皿との互いに対向する部位間に設けられた係合部同士が前記灰皿を回動不能に係合保持する構成とされていることを要旨とする。
【０００９】
請求項３に記載の発明は、請求項２に記載の遊技機において、前記機台前面下部には、前記係合位置から前方向又は後方向へ移動した状態にある灰皿を前記係合位置の方向へ付勢する付勢手段が設けられていることを要旨とする。
【００１０】
請求項４に記載の発明は、請求項３に記載の遊技機において、前記機台前面下部には下球皿をセット保持するためのセット板が配設されており、該セット板よりも前方側に前記支持手段、係合手段及び付勢手段は設けられていることを要旨とする。
【００１１】
請求項５に記載の発明は、請求項１〜請求項４のいずれか一項に記載の遊技機であって、前記機台前面下部には、前記灰皿が、灰受け凹部が上向きとなる使用可能な位置状態から、機表側から見て時計方向又は反時計方向のうち何れか一方の特定方向へ灰皿が回動操作された際に、当該灰皿の所定部位と当接することによって、その灰皿の前記特定方向への回動を規制する回動方向規制手段が設けられていることを要旨とする。
【発明の効果】
【００１２】
本発明によれば、灰皿に溜まった吸い殻等を遊技者側へ飛散させることなく、迅速かつ簡単に回収することができる。
【発明を実施するための最良の形態】
【００１３】
以下、本発明を遊技機の一種であるパチンコ遊技機（以下、「パチンコ機」と示す）に具体化した一実施形態を図１〜図８に基づき説明する。なお、本明細書中において、前後・左右・上下という場合は、パチンコ機を機表側から見た場合の方向をいうものとする。ちなみに、「前」とは機表側から見て「手前」のことをいい、「後」とは「奥」のことをいう。
【００１４】
図１には、パチンコ機１０の機表側が略示されており、機体の外郭をなす外枠１１の開口前面側には、各種の遊技用構成部材をセットする縦長方形の中枠１２が開閉及び着脱自在に組み付けられている。中枠１２の前面側には、機内部に配置された遊技盤１３を透視保護するためのガラス枠を備えた前枠１４と上球皿１５が共に横開き状態で開閉可能に組み付けられている。また、機台前面下部において、上球皿１５の下側には、図２に示すセット板１６が取り付けられ、同セット板１６の前面には遊技者側から向かって右側に打球発射装置１７、左側に灰皿１８、中央に下球皿１９が配設されている。そして、図２に示すように、前記灰皿１８は、セット板１６に対して前後方向に沿う軸線ａ回りに回動操作可能に取り付けられている。また、セット板１６の中央部には図示しない機内部の余剰球通路に連通する排出口２０が開設されており、同排出口２０を介して余剰球が下球皿１９内へ排出されるようになっている。
【００１５】
図３及び図６に示すように、前記セット板１６の前面において排出口２０の左側には、円環状をなす環状周壁２１が前方に向けて突出形成されている。この環状周壁２１の内側領域には、環状周壁２１の内周縁に沿うようにほぼ半円弧状をなす一対の半円弧溝２２が左右対称配置となるように形成されている。そして、環状周壁２１の内側領域において前記両半円弧溝２２の端部同士が間隔をおいて対向する部分、即ち、両半円弧溝２２の非形成部分により、各半円弧溝２２の内底面よりも前方側へ突出した形態をなす上下一対の係合凸部２３が構成されている。また、前記環状周壁２１の内側領域には、前記軸線ａと一致する環状周壁２１の中心ｏをはさんで１８０度反対となる二位置に一対の通孔２４が形成されると共に、前記中心ｏから径方向へ偏心した位置に位置合せ用穴２５が形成されている。
【００１６】
図５（ａ）（ｂ）、図６に示すように、前記灰皿１８は、灰受け部材２６、灰皿上部材２７、灰皿下部材２８、及び蓋部材２９からなる複数種の灰皿構成部材が組み付けられて一体化した形態とされている。前記灰受け部材２６は、上面側に灰受け凹部３０が形成された変形カップ形状をなしており、その灰受け凹部３０の開口縁に沿うように形成された鍔部３１には吸いかけのたばこ等を置いておくための切り欠き３２が前側中央部に一箇所形成されている。また、図７に示すように、灰受け部材２６の下面側には柱状をなす組付け用凸部３３が下方へ向けて突設されており、同組付け用凸部３３の下端面には図示しないねじ孔が下方から形成されている。
【００１７】
また、前記灰皿上部材２７は、半割スカート部２７ａに形成された前側部分と半割筒部２７ｂに形成された後側部分とからなり、半割スカート部２７ａの前側縁は灰皿１８の一体組み付け時に前記灰受け部材２６における鍔部３１の一部（後方部分）と嵌合係止する縁形状に形成されている。そして、図５（ａ）に示すように、半割筒部２７ｂの後端縁には、半割リング形状をなすフランジ３４が内向きに形成されると共に、半割円環状をなす半環状突片３５が後方へ向けて突出形成されている。この半環状突片３５における半割筒部２７ｂの後端縁からの突出高さは、前記セット板１６側に形成された半円弧溝２２の深さとほぼ等しく形成されている。そして、この半環状突片３５の周方向略中央部分には前記セット板１６の環状周壁２１の内側領域に形成された係合凸部２３と係合可能な係合凹部３６が形成されている。また、図６（及び図７，８）に示すように、前記半割筒部２７ｂは、その前端部の内周面が灰皿上部材２７における半割スカート部２７ａの内側まで入り込むように形成されており、その内周面の前端縁からは突片３７が下方へ向けて前記フランジ３４と平行をなすように突出形成されている。また、前記半割筒部２７ｂの内周面略中央部には突起３８が下方へ向けて形成されている（図７参照）。
【００１８】
一方、図５に示すように、前記灰皿下部材２８は、カップ部２８ａに形成された前側部分と、半割筒部２８ｂに形成された後側部分とからなっている。前記カップ部２８ａの平面視形状は、前記灰受け部材２６と灰皿上部材２７の半割スカート部２７ａとを組み合わせた場合の平面視形状と同一形状に形成されている。また、前記半割筒部２８ｂは、前記灰皿上部材２７の半割筒部２７ｂと同一形状に形成されている。そして、灰皿１８の一体組み付け時には、前記カップ部２８ａの上端縁が前記灰受け部材２６における鍔部３１の一部（前方部分）及び灰皿上部材２７における半割スカート部２７ａの下端縁と嵌合係止し、前記半割筒部２８ｂの上側縁が灰皿上部材２７における半割筒部２７ｂの下側縁と嵌合係止するようになっている。また、その半割筒部２８ｂの後端縁には、前記灰皿上部材２７の半割筒部２７ｂの場合と同様に、半割リング形状をなすフランジ３９と半割円環状をなす半環状突片４０が形成されると共に、その半環状突片４０の周方向略中央部には前記係合凹部３６と同様の係合凹部４１が形成されている。
【００１９】
これらの係合凹部３６及び係合凹部４１は、灰皿１８が前記軸線ａ方向における所定の係合位置（即ち、図７に示すように機表側から見て最も後方位置）へ移動した際に、前記セット板１６の係合凸部２３とそれぞれ係合するようになっている。そして、その係合位置にて互いに係合することにより、灰皿１８を灰受け凹部３０が上向きとなる使用可能な位置状態において回動操作不能に係合保持するようになっている。すなわち、前記係合凸部２３と係合凹部３６，４１は、セット板１６の前面（機台前面下部）において、灰皿１８を灰受け凹部３０が上向きとなる使用可能な位置状態に係合保持可能な係合手段の係合部として機能するように構成されている。なお、前記半円弧溝２２と半環状突片３５，４０についても、前記係合凸部２３と係合凹部３６，４１とが係合するとき同時に係合する関係にあるため、同様に、係合手段の係合部として機能することになる。
【００２０】
また、図６に示すように、灰皿下部材２８におけるカップ部２８ａの内面において前記灰皿上部材２７側の突片３７と対向する位置には突片４２が上方へ向けて前記フランジ３９と平行をなすように突出形成されている。また、前記カップ部２８ａの底部には、蓋部材２９を嵌合保持可能な略半月形状をなす嵌合孔４３が形成されている。さらに、前記カップ部２８ａの底部における前記嵌合孔４３の周縁近傍には、灰皿１８の一体組み付け時において前記灰受け部材２６の組付け用凸部３３と対向する位置に、灰皿下部材２８の下方から前記灰受け部材２６の組付け用凸部３３の下端面に形成されたねじ孔（図示略）へ螺入するねじ３３ａを挿通するための通孔４４が開口形成されている。
【００２１】
また、前記蓋部材２９は前記嵌合孔４３と同じ略半月形状をなし、前側縁の周方向略中央部には、先端がフック形状をなす係止部４５が上方へ向けて突出形成され、後側縁の略中央部には、先端がフック形状をなす係止部４６が前記係止部４５と同様に上方へ向けて突出形成されている。これらの各係止部４５，４６は、蓋部材２９を嵌合孔４３へ嵌合した際に、灰皿下部材２８の内面で前記嵌合孔４３の周縁近傍に設けられた図示しない被係止部と係合し、蓋部材２９と灰皿下部材２８とを一体化するようになっている。なお、蓋部材２９における底面（嵌合孔４３への嵌合状態では外表面となる面）には、蓋部材２９をコインホルダーとして利用ならしめるための溝部４７がコイン数枚分を差し込み可能な幅をもつ凹溝形状に形成されている（図５（ｂ）参照）。
【００２２】
また、図５（ａ）（ｂ）、図６に示すように、前記灰皿上部材２７の半割筒部２７ｂと灰皿下部材２８の半割筒部２８ｂとの組み付け一体化によって灰皿１８の後部に形成される筒部１８ａ内には、図４に側面形状を示す軸部材４８が内装されるようになっている。図４に示すように、この軸部材４８は、軸方向へ大径部４９と小径部５０とが段差平面部４８ａを介して連続形成された形態をなしている。大径部４９の外径は前記灰皿１８の筒部１８ａの内径と略同一径になっており、灰皿１８を回動させたときに、灰皿１８側の筒部１８ａの内周面と軸部材４８の大径部４９の外周面とが摺接するようになっている（図７、８参照）。一方、小径部５０の外径は前記灰皿１８の筒部１８ａの後端縁に前記両フランジ３４，３９の内周縁によって形成される円孔１８ｂの直径よりも僅かに径小になっている。そして、前記段差平面部４８ａには、大径部４９の外周に沿って半周分の半周突起片５１が後方へ向けて突出形成され、さらに、前記筒部１８ａへの内装時に前記軸線ａと一致する軸部材４８の中心軸線（図示略）をはさんで１８０度反対となる二位置には一対の円柱部５２が小径部５０の後端面よりも後方へは突出しないような高さで形成されている。
【００２３】
また、小径部５０の後端面（図４では左端面）には、丸棒状の突部５３が前記軸部材４８の中心軸線から径方向へ偏心した位置に突出形成されると共に、該中心軸線をはさんで１８０度反対となる二位置には一対のねじ孔５４（図５参照）が形成されている。前記突部５３は、灰皿１８の筒部１８ａをセット板１６の環状周壁２１に嵌合させた際に前記位置合せ用穴２５（図３参照）に差し込まれることで、前記軸部材４８側のねじ孔５４とセット板１６側の前記通孔２４とを位置合せする機能を果たすようになっている。そして、そのように位置合せされた状態において、セット板１６の裏側から前記通孔２４およびねじ孔５４に止めねじ５４ａを螺入締め付けすることによって、軸部材４８はセット板１６の前面に対して回動不能に固定される。
【００２４】
また、図４、図６及び図８から理解されるように、前記半周突起片５１の周方向上側端面５１ａは、灰受け凹部３０を上向きにして使用可能な状態にある灰皿１８が前記軸線ａを中心に特定方向へ回動操作された際に、灰皿上部材２７の半割筒部２７ｂの内面略中央部に形成された前記突起３８と当接し得るようになっている。より詳しくは、灰皿１８を前記使用可能な位置状態とした場合において、前記突起３８と半周突起片５１の周方向上側端面５１ａとは、半周突起片５１の周方向上側端面５１ａの方が機表側から見て右側に位置して互いに当接するようになっている。従って、前述したように、軸部材４８はセット板１６に対して回動不能に固定されているため、前記使用可能な位置状態にある灰皿１８は機表側から見て左方向（特定方向とは反対方向の反時計方向）のみへ回動可能とされる。つまり、前記灰皿１８における半周突起片５１の周方向上側端面（灰皿の所定部位）５１ａと当接する前記突起３８により、灰皿１８の特定方向（時計方向＝機表側から見て右方向）への回動を規制する回動方向規制手段が構成されている。
【００２５】
図６に戻って、前記軸部材４８の段差平面部４８ａに形成された一対の円柱部５２には、付勢手段としてのコイルばね５５が、円柱部５２の外周面と若干のクリアランスをもって嵌合支持されている。すなわち、前記円柱部５２は、コイルばね５５を軸部材４８の軸方向に沿って装着支持するための支持芯となっている。さらに、前記灰皿１８の筒部１８ａ内には、外径が軸部材４８の大径部４９と略同一径をなし、内径が軸部材４８の小径部５０よりも僅かに径大の薄板からなる輪状部材５６が、前記コイルばね５５の後端と、前記灰皿上部材２７のフランジ３４及び灰皿下部材２８のフランジ３９とに前後各面を当接させた状態で配置されている。
【００２６】
従って、図６〜図８から理解されるように、灰皿上部材２７等からなる各灰皿構成部材を組み付けて一体化された灰皿１８は、その組み付け時に筒部１８ａ内へ内装した前記軸部材４８をセット板１６の前面側へ止めねじ５４ａで固定することにより、前記軸線ａ（軸部材４８の中心軸線）回りに回動操作可能な状態にて支持されることになる。また、その支持状態において、前記コイルばね５５の付勢力に抗して灰皿１８を手前側へ引けば、灰皿１８は、前記軸線ａに沿う前後方向へ移動操作可能とされる。そして、この場合、灰皿１８は、その筒部１８ａの後端縁から後方へ向けて突出形成された各半環状突片３５，４０の外周面が、セット板１６の環状周壁２１の内周面と摺動接触することで、前記軸線ａ回りに回動可能に且つ該軸線ａに沿う前後方向への移動可能に支持される。また、この場合、灰皿１８は、その筒部１８ａの内周面が、軸部材４８の大径部４９の外周面と摺動接触することで、前記軸線ａ回りに回動可能に且つ該軸線ａに沿う前後方向への移動可能に支持されるともいえる。従って、本実施形態では、前記セット板１６の環状周壁２１及び前記軸部材４８の大径部４９が、灰皿１８を機表側から見て前後方向に沿う軸線ａ回りに回動操作可能に且つ該軸線ａに沿う前後方向への移動操作可能に支持する支持手段としてそれぞれ機能するように構成されている。
【００２７】
次に、以上のように構成された本実施形態におけるパチンコ機１０の作用に関し、特に灰皿１８から吸い殻等を回収する際の操作手順を中心に説明する。
まず、図７は、灰皿１８が灰受け凹部３０を上向きとした使用可能な位置状態でセット板１６の前面側に係合保持された状態を示している。この状態では、灰皿１８側の一対の半環状突片３５，４０がセット板１６側の左右一対の半円弧溝２２に係合すると共に、灰皿１８側の係合凹部３６，４１がセット板１６側の係合凸部２３に係合している。その結果、灰皿１８は、その筒部１８ａの後端部に形成されたフランジ３４，３９の後側面がセット板１６の前面（具体的には、環状周壁２１の内側領域）に当接し、前記半環状突片３５，４０と係合凹部３６，４１がセット板１６側の半円弧溝２２と係合凸部２３に係合した係合位置にあって回動不能な状態に保持される。なお、このように灰皿１８が係合位置に保持された状態において、灰皿１８内のコイルばね５５は、前記軸線ａ方向への付勢力を生じていない状態（つまり、非収縮状態）で、前記軸部材４８の段差平面部４８ａと輪状部材５６とに前後両端部が当接した状態とされる。
【００２８】
次に、前記図７に示す係合位置から、吸い殻等の回収のために、灰皿１８が前方に引き出されると、前記輪状部材５６も灰皿１８の筒部１８ａのフランジ３４，３９に押されて前方へ移動するため、コイルばね５５は、輪状部材５６と軸部材４８の段差平面部４８ａとの間で軸方向へ収縮する。即ち、コイルばね５５には、この段階で灰皿１８を元の係合位置の方向へ付勢する付勢力が生じることになる。そして、このコイルばね５５の付勢力に抗して更に灰皿１８を前方へ引き出すと、灰皿１８は、前記半環状突片３５，４０及び係合凹部３６，４１がセット板１６側の半円弧溝２２及び係合凸部２３との係合状態を解除される。そして更に、灰皿１８を前方に引き出すと、図８に示すように、灰皿１８は、灰皿上部材２７における半割筒部２７ｂの内面略中央部に形成した突起３８が軸部材４８の段差平面部４８ａに当接する。また同時に、軸部材４８の段差平面部４８ａに形成された円柱部５２の後端面が輪状部材５６の前面に当接する。従って、灰皿１８は、この図８に示す位置よりも更に前方に引き出すことが不可能となる。つまり、突起３８と段差平面部４８ａとが当接すること、及び、円柱部５２と輪状部材５６とが当接することにより、灰皿１８は、図８に示す引き出し位置（非係合位置でもある）よりも前方への過剰引き出し操作が規制されることになる。
【００２９】
さて、この図８に示す引き出し位置（以下、「回動可能位置」という。）において、灰皿１８は、灰皿１８側の係合部（半環状突片３５，４０と係合凹部３６，４１）とセット板１６側の係合部（半円弧溝２２と係合凸部２３）とが互いの係合状態を解除された状態にある。そのため、灰皿１８は、前記軸線ａ回りでの回動操作が可能となるが、この回動可能位置において、灰皿１８を機表側から見て右方向に回動させようとすると、前記突起３８が軸部材４８側の半周突起片５１の周方向上側端面５１ａに当接するため、当該右方向への回動が規制される。一方、左方向に回動させると、灰皿１８は、その筒部１８ａの内周面が軸部材４８の大径部４９の外周面に摺動すると共に、前記半環状突片３５，４０の外周面がセット板１６側の環状周壁２１の内周面に摺動することにより滑らかに回動する。そして、灰皿１８を灰受け凹部３０が下向きとなるように１８０度反転する角度位置まで回動させると、前記突起３８が今度は前記半周突起片５１の周方向下側端面５１ｂに当接し、灰皿１８のそれ以上の回動を阻止する。このとき、灰皿１８は、灰受け凹部３０を完全に下向きとした状態となり、灰受け凹部３０に溜まった灰や吸い殻等の回収を行うことができる。
【００３０】
次に、回収後には、通常、上記とは逆の手順で灰皿１８を元の使用可能な位置状態にして図７に示す係合位置へ戻すことになる。この場合は、まず、灰受け凹部３０が下向きとなっている灰皿１８を機表側から見て右方向に１８０度回動させる。すると、図８に示すようにコイルばね５５が縮んだままの状態で、灰皿１８は、前記突起３８が再び軸部材４８側の半周突起片５１の周方向上側端面５１ａに当接し、灰受け凹部３０を上向きとした元の使用可能な位置状態へ戻る。その後、更に後方の係合位置へと戻すわけであるが、ここで、コイルばね５５には後方への付勢力が畜力されているため、あえて灰皿１８を後方へ手動で押しやる必要はなく、灰皿１８から手を離すと自動的に灰皿１８は元の係合位置へと後退する。そして、係合位置へ後退すると、灰皿１８は、再び灰皿１８側の係合部（半環状突片３５，４０と係合凹部３６，４１）とセット板１６側の係合部（半円弧溝２２と係合凸部２３）とが互いに係合するため、図７に示すように、元の係合位置において、灰受け凹部３０が上向きとなる使用可能な位置状態に係合保持されることとなる。
【００３１】
また、蓋部材２９の表面に形成された前記溝部４７が上向きになるように（つまり、灰受け凹部３０が下向きになるように）して、灰皿１８をコインホルダーとして機能させる場合には、次のように行う。まず、灰皿１８を係合位置から回動可能位置まで前方に引き出して１８０度回動させる操作手順は、上記した吸い殻等の回収時の操作手順と同様である。但し、この場合は、灰皿１８を１８０度回動させて溝部４７が上向きとなるようにした後、その角度位置状態のまま、灰皿１８を元の係合位置へ復帰移動させる。そして、この場合も、コイルばね５５は上述と同様に後方への付勢力を伴っている。従って、灰皿１８を灰受け凹部３０が下向きとなるように１８０度回動させた角度位置状態のままで灰皿１８から手を離してやれば、灰皿１８はコインホルダーとなる溝部４７を上向きにしたまま自動的に係合位置まで後退する。そして、前記係合凸部２３と係合凹部３６，４１及び半円弧溝２２と半環状突片３５，４０は、前記中心ｏ（＝軸線ａ）をはさんで１８０度反対となる二位置（点対称位置）に形成されているため、灰皿１８の向きを上下反転させた後の状態においても、それぞれ係合させることができる。従って、例えば禁煙コーナー等に設置するパチンコ機１０の場合には、このように前記溝部４７が上向きとなるように灰皿１８を反転させた状態で、該灰皿１８をセット板１６の前面に係合保持することが可能となり、この場合は、灰皿１８がコインホルダーとして機能することとなる。
【００３２】
本実施形態では、次のような効果を得ることができる。
（１）灰皿１８は記表側から見て前後方向に沿う軸線ａ回りに回動操作可能に支持されているため、灰受け凹部３０が上向きとなる使用可能な位置状態に係合保持されている灰皿１８を遊技者側となる手前方向とは異なる左右方向に回動させるだけで、簡単に灰受け凹部３０を下向きにすることができる。従って、灰皿１８の回動操作方向（左右方向の回動向き）を遊技者から遠ざける方向（本実施形態では左方向）にすれば、灰皿１８を回動させたときに、遊技者側に吸い殻等が飛び散ることを最小限に抑えつつ、容易且つ迅速に吸い殻等の回収作業を行うことができる。
【００３３】
（２）吸い殻等を回収する際には、灰皿１８を係合位置から前方向に移動させ、セット板１６側の係合凸部２３（係合手段、係合部）及び半円弧溝２２（係合手段、係合部）と灰皿１８側の係合凹部３６，４１（係合手段、係合部）及び半環状突片３５，４０（係合手段、係合部）との係合を解除すれば、灰皿１８は回動操作可能となる。そのため、係合位置から前方向に移動させれば、簡単に灰受け凹部３０が下向きとなるように灰皿１８を回動させて吸い殻等を回収することができる。そして、回収後は、灰受け凹部３０が上向きとなるように回動させた後、灰皿１８を前記係合位置へ復帰移動させれば、セット板１６側の係合凸部２３及び半円弧溝２２と、灰皿１８側の係合凹部３６，４１及び半環状突片３５，４０とが、再び係合し合うため、簡単に灰皿１８を元の使用可能な位置状態に保持できる。
【００３４】
（３）係合位置から前方向又は後方向へ移動した状態にある灰皿１８には収縮されたコイルばね５５（付勢手段）により係合位置に戻る方向へ付勢力が働く。そのため、吸い殻等を回収するべく係合位置から前方向へ移動させた灰皿１８については、灰受け凹部３０が下向きとなるように回動させて吸い殻等を回収した後において再び灰受け凹部３０が上向きとなるように回動させた場合、その灰皿１８は自動的に元の係合位置へと復帰する。従って、吸い殻等の回収のために灰皿１８を前方向へ移動させかつ回動操作させた後において、再び灰皿１８を前記係合位置へわざわざ復帰移動させるための手作業を省略することができる。
【００３５】
（４）灰皿支持に関わる一連の機構、軸部材４８（支持手段）、セット板１６の環状周壁２１（支持手段）、係合凹部３６，４１に対応する係合凸部２３（係合手段）及び半環状突片３５，４０に対応する半円弧溝２２（係合手段）、コイルばね５５（付勢手段）が機表側（セット板より前側）に集約配置される。このため、機表側と機裏側とを連絡する機構配置を講ずる必要がなく、灰皿１８の支持に関わる機構を簡単に構築することができると共に、機台前面側からのメンテナンス処理が可能となる。また、セット板１６よりも後方に支持手段（軸部材４８）が突出することがない。したがって、機表側におけるスペースの有効利用を図ることができる。
【００３６】
（５）灰皿１８は、係合位置から前方へ引き出した状態で機表側から見た場合に遊技者側となる右方向（特定方向）へ回動させると、その灰皿上部材２７の内面側に設けた突起３８（所定部位）が軸部材４８に設けた半周突起片５１（回動方向規制手段）の周方向上側端面５１ａと当接することになる。即ち、吸い殻等の回収のために灰皿１８を回動操作する際、当該灰皿１８は、機表側から見た場合に遊技者側となる右方向（特定方向）へ回動することが規制される。そのため、間違って遊技者側へ灰皿が回動操作されることを確実に防止でき、吸い殻等（灰）を遊技者側へ飛散させることがない。
【００３７】
（６）軸部材４８の小径部５０の後端面には丸棒状の突部５３が設けられる一方、機台前面下部を構成するセット板１６における環状周壁２１の内側領域には前記突部５３が嵌り込む位置合せ用穴２５が設けられている。そのため、前記突部５３を位置合せ用穴２５に嵌め込むことによって、灰皿１８をセット板１６の前面に取り付ける際の位置決め機能（通孔２４とねじ孔５４の位置合せ）を果たすことができ、パチンコ機１０への灰皿組み付け作業を迅速且つ容易に行うことができる。
【００３８】
（７）灰皿１８は、灰受け凹部３０と上下反対位置になる下部面にコインホルダーとなる溝部４７を形成しているため、たばこを吸わない時には、灰皿１８を回動して反転させることにより前記溝部４７を上向きにし、その溝部４７をコインホルダーとして利用することができる。すなわち、１つの灰皿が、喫煙時の灰皿としての機能と、喫煙時以外に利用できるコインホルダーとしての機能との２つの機能を実現しており、より機能性に長けた構造となる。
【００３９】
（８）灰皿１８は、その全体形状が筒部１８ａから前方に向かって径大の略球体形状をなすように形成されているため、前記筒部１８ａに手提げ袋の取手部分や携帯電話のストラップ等を引っかけることができ、灰皿１８を引っかけ機能部としても利用できる。
【００４０】
（９）薄板の輪状部材５６をコイルばね５５と灰皿１８における筒部１８ａのフランジ３４，３９との間に介在させたことにより、灰皿１８の回動がよりスムーズになる。すなわち、輪状部材５６は、その前面がコイルばね５５と当接し、その後面が灰皿１８のフランジ（３４，３９）の内側面と当接した状態となるため、コイルばね５５が直接フランジ（３４，３９）の内側面と当接する場合に比べて、灰皿１８をスムーズに回動させることができる。
【００４１】
（１０）灰皿１８を係合位置から前方へ引き出した場合でも、灰皿１８の筒部１８ａの後端は依然としてセット板１６の環状周壁２１により外部から被覆された状態にある。そのため、コイルばね５５等が内装された灰皿１８の内部にゴミなどが入り込むことを防止でき、そのようなゴミなどにより灰皿１８の支持構造が不具合となる虞を回避できる。
【００４２】
なお、上記実施形態は以下のような別の実施形態（別例）に変更してもよい。
・灰皿１８を、前記実施形態の場合とは逆に、機表側から見てセット板１６の前面において下球皿１９よりも右側に配置しても良い。この場合、回動方向規制手段となる軸部材４８の半周突起片５１は、該半周突起片５１の周方向上側端面５１ａと周方向下側端面５１ｂとが前記実施形態の場合とは上下逆の位置となるようにされる。つまり、軸部材４８は前記実施形態の場合よりも１８０度回転させた状態でセット板１６の前面に固定支持されることになる。そして、特定方向は機表側から見て左方向（反時計方向）ということになる。このようにすれば、灰皿１８は、機表側から見て右方向（特定方向とは反対方向の時計方向）のみへ回動可能とされて、前記実施形態と同様に遊技者から遠ざかる方向へ灰皿１８を回動させることができる。
【００４３】
・前記実施形態における半周突起片５１を、軸部材４８の大径部４９の外周に沿う半周分の突出形状に代えて、段差平面部４８ａの外周付近に同段差平面部４８ａから中心軸線をはさんで１８０度反対となる二位置に一対の突部が突設される形状に変更してもよい。要は、灰皿が１８０度回動した後、灰皿上部材２７側の突起３８と回動方向において当接して、１８０度以上の無用な回動を阻止できる構成であれば良い。
【００４４】
・前記実施形態においては、輪状部材５６を設ける構成としたが、輪状部材５６を設けない構成としても良い。
・前記実施形態とは逆に、セット板１６の係合凸部２３（係合手段、係合部）と灰皿１８の係合凹部３６，４１の凹凸を逆にして構成しても良い。なお、この場合は、半円弧溝２２と半環状突片３５，４０の凹凸関係が逆となるように構成される。
【００４５】
・前記実施形態の係合手段（係合凸部２３と係合凹部３６，４１）をさらに複数組形成しても良い。このように構成すれば、灰皿１８が使用可能な状態位置に確実に保持される。さらに、１組の係合手段が破損しても他の組の係合手段によって灰皿１８を使用可能な位置状態に保持できる。
【００４６】
・前記実施形態においては、灰皿１８の筒部１８ａの外周面とセット板１６における環状周壁２１の内周面とが摺動関係を有する構成になっていれば、軸部材４８の大径部４９は必ずしも灰皿１８の筒部１８ａの内周面と摺動関係を有していなくてよい。なお、この場合は、前記環状周壁２１のみが支持手段となる。その一方、灰皿１８の筒部１８ａの内周面と軸部材４８の大径部４９の外周面とが摺動関係を有する構成になっていれば、環状周壁２１は必ずしもなくてよい。なお、この場合は、前記軸部材４８のみが支持手段となる。
【００４７】
・本実施形態においては、灰皿１８が灰受け部材２６と灰皿上部材２７と灰皿下部材２８と蓋部材２９という４つの灰皿構成部材で構成されているが、これらが一体物に成形された灰皿としても良い。
【００４８】
・前記実施形態では、灰皿１８は係合位置から前方へ引き出したときに係合手段による係合保持が解除されて回動操作可能となるようにしたが、灰皿は係合位置から後方へ押し込んだときに係合手段による係合保持が解除されて回動操作可能となるように構成してもよい。なお、その場合には、セット板１６側の係合凸部２３及び灰皿１８側の係合凹部３６，４１に関する構成も変更されることになる。
【００４９】
・本実施形態における灰皿１８をパチンコ遊技機以外の遊技機（例えば、アレンジボール遊技機やスロットマシン）で使用しても良い。
・本実施形態において、吸い殻等の回収のために係合位置から前方へ引き出した後に灰受け凹部３０を下向きとなるように反時計方向へ回動させた灰皿１８を、その回動後の位置状態から灰受け凹部３０を上向きとする使用可能な位置状態にすると共に元の係合位置まで自動的に回動復帰させる構成を更に付加しても良い。この場合、まず一つ目の付加構成として、回動後の位置状態にある灰皿１８を時計回りに回動付勢する戻しばね（回動付勢手段）を灰皿１８内部に配置すれば良い。このような構成を付加すれば、灰皿１８を手前に引いて反時計方向へ回動させて吸い殻等を回収した後、灰皿１８から手を離すと、灰皿１８は戻しばねの付勢力によって自動的に時計回りに回動する。そして、灰受け凹部３０が上向きとなる位置まで１８０度回動すると、灰皿１８は、半周突起片５１（回動方向規制手段）の周方向上側端面５１ａに突起３８（所定部位）が当接して、それ以上の回動を阻止される。また、二つ目の付加構成としては、灰受け凹部３０を上向きにした状態のまま灰皿１８を係合位置まで摺接ガイドする手段を灰皿１８内部に配置すれば良い。この場合、前記半周突起片５１（回動方向規制手段）の周方向上側端面５１ａがガイド手段としても機能する。従って、その後は本実施形態におけるコイルばね５５の後方への付勢力によって灰皿１８は灰受け凹部３０を上向きとする使用可能な位置状態でガイド手段としても機能する半周突起片５１の周方向上側端面５１ａに前記突起３８が摺接ガイドされて元の係合位置へと自動復帰する。すなわち、灰皿１８は、回動方向規制手段（ガイド手段兼用）と回動付勢手段の相互作用によって、自動的の元の係合位置へと復帰される。従って、吸い殻等の回収のために灰皿１８を前方向又は後方向へ移動させかつ回動操作させた後において、その灰皿１８を元の係合位置へ戻す際に、その復帰移動が、全て自動的に行われることとなるため、一連の作業をさらに簡易迅速化することができる。
【００５０】
次に、前記各実施形態及び別例から把握できる技術的思想について、以下に追記する。
（イ）請求項３に記載の遊技機において、前記機台前面下部には、前記灰皿が、灰受け凹部が上向きとなる使用可能な位置状態から、機表側から見て時計方向又は反時計方向のうち何れか一方の特定方向へ回動操作された際に、当該灰皿の所定部位と当接することによって、その灰皿の前記特定方向への回動を規制すると共に、前記灰皿が、灰受け凹部を上向きとした状態のまま、前記軸線に沿う前後方向へ移動する際に、当該灰皿を摺接ガイドする回動方向規制手段と、前記灰皿を、前記特定方向とは逆方向へ回動付勢する回動付勢手段とが設けられている遊技機。
【図面の簡単な説明】
【００５１】
【図１】本実施形態におけるパチンコ遊技機の全体構成を示す正面図。
【図２】パチンコ遊技機の機台前面下部を示す斜視図。
【図３】灰皿を取り外した状態のセット板の一部破断正面図。
【図４】軸部材の側面図。
【図５】灰皿の全体構成を示す斜視図であり、（ａ）は斜め上からの斜視図であり、（ｂ）は斜め下からの斜視図。
【図６】セット板への組み付け態様を説明する灰皿の分解斜視図。
【図７】係合位置で使用可能な位置状態に支持された灰皿の側断面図。
【図８】図７の状態から回動操作のために前方へ引き出された灰皿の側断面図。
【符号の説明】
【００５２】
ａ…軸線、１６…セット板、１８…灰皿、１９…下球皿、２２…半円弧溝（係合手段、係合部）、２３…係合凸部（係合手段、係合部）、３０…灰受け凹部、３５…半環状突片（係合手段、係合部）、３６…係合凹部（係合手段、係合部）、３８…突起（灰皿の所定部位）、４０…半環状突片（係合手段、係合部）、４１…係合凹部（係合手段、係合部）、４８…軸部材、５１…半周突起片（回動方向規制手段）、５５…コイルばね（付勢手段）。
【図１】
2005040433.tif 000003
【図２】
2005040433.tif 000004
【図３】
2005040433.tif 000005
【図４】
2005040433.tif 000006
【図５】
2005040433.tif 000007
【図６】
2005040433.tif 000008
【図７】
2005040433.tif 000009
【図８】
2005040433.tif 000010